(57)【要約】【課題】パワーアンプの発熱を防止することができ、それにより、送信情報出力情報の品質を保証すること。【解決手段】コンピュータ３は、電池２を電源とし、出力情報Ｄｏｕｔを出力する。パワーアンプ４は、電池２を電源とし、出力情報Ｄｏｕｔを送信電力により送信する。パワーアンプ保護回路１０は、電池２とパワーアンプ４とを接続するスイッチ部２０と、電池２を電源とする監視部３０とを具備している。監視部３０は、パワーアンプ４の温度Ｔを計測し、温度Ｔが設定温度Ｔ’を超えた場合、発熱防止信号Ｓ１、Ｓ１’をスイッチ部２０とコンピュータ３とに出力する。スイッチ部２０は、発熱防止信号Ｓ１に応じて、電池２とパワーアンプ４との接続を解除する。コンピュータ３は、発熱防止信号Ｓ１’に応じて、パワーアンプ４への出力情報Ｄｏｕｔの出力を中止する。【選択図】図４
2008253067.tif 000002
【特許請求の範囲】
【請求項１】
携帯端末本体と、
前記携帯端末本体に取り付けられた電池と、
前記携帯端末本体に設けられ、前記電池を電源とし、出力情報を出力し、発熱防止信号に応じて、前記パワーアンプへの前記出力情報の出力を中止するコンピュータと、
前記携帯端末本体に設けられ、前記電池を電源とし、前記出力情報を送信電力により無線通信回線網に送信するパワーアンプと、
前記携帯端末本体に設けられ、前記パワーアンプの発熱を防止するためのパワーアンプ保護回路と
を具備し、
前記パワーアンプ保護回路は、
前記電池と前記パワーアンプとを接続し、前記発熱防止信号に応じて、前記電池と前記パワーアンプとの接続を解除するスイッチ部と、
前記電池を電源とし、前記パワーアンプの温度を計測し、前記温度が設定温度を超えた場合、前記発熱防止信号を前記スイッチ部と前記コンピュータとに出力する監視部と
を具備する携帯端末。
【請求項２】
請求項１に記載の携帯端末において、
前記パワーアンプ保護回路は、
前記電池と前記監視部との間に設けられ、監視動作制御信号に応じて、前記電池と前記監視部とを接続し、消費電力削減信号に応じて、接地される電源制御部
を更に具備し、
前記コンピュータは、
前記監視動作制御信号を前記電源制御部に出力し、
前記パワーアンプへの前記出力情報の出力を中止したとき、前記監視動作制御信号に代えて前記消費電力削減信号を前記電源制御部に出力する
携帯端末。
【請求項３】
請求項１又は２に記載の携帯端末において、
前記監視部は、
前記パワーアンプ又はその近傍に設けられ、前記パワーアンプの温度を計測する温度センサと、
前記温度と前記設定温度とを比較し、前記温度が前記設定温度を超えている否かを表す比較結果を生成する比較部と、
前記温度が前記設定温度を超えていることを前記比較結果が表している場合、前記発熱防止信号を出力する監視制御部と
を具備する携帯端末。
【請求項４】
請求項１〜３のいずれかに記載の携帯端末において、
前記スイッチ部は、
前記電池と前記パワーアンプとを接続し、スイッチ制御信号に応じて、前記電池と前記パワーアンプとの接続を解除する第１スイッチと、
前記発熱防止信号に応じて、前記スイッチ制御信号を前記第１スイッチに出力する第２スイッチと
を具備する携帯端末。
【請求項５】
請求項４に記載の携帯端末において、
前記第１スイッチは、前記電池と前記パワーアンプの間に接続された第１トランジスタを表し、
前記第２スイッチは、前記第１トランジスタのゲートと接地との間に接続され、そのゲートに前記監視部の出力が接続された第２トランジスタを表し、
前記スイッチ部は、
その一端が前記電池に接続され、その他端が前記第１トランジスタのゲートに接続された高抵抗素子
を更に具備し、
前記第２トランジスタは、前記発熱防止信号に応じてオンし、前記スイッチ制御信号を前記第１トランジスタのゲートに出力し、
前記第１トランジスタは、前記スイッチ制御信号に応じてオフし、前記電池と前記パワーアンプとの接続を解除する
携帯端末。
【請求項６】
請求項５に記載の携帯端末において、
前記第１トランジスタは、Ｐ型であり、
前記第２トランジスタは、Ｎ型である
携帯端末。
【請求項７】
電池と、前記電池を電源とし、出力情報を出力するコンピュータと、前記電池を電源とし、前記出力情報を送信電力により無線通信回線網に送信するパワーアンプとを具備する携帯端末に適用され、前記パワーアンプの発熱を防止するためのパワーアンプ保護回路であって、
前記電池と前記パワーアンプとを接続し、発熱防止信号に応じて、前記電池と前記パワーアンプとの接続を解除するスイッチ部と、
前記電池を電源とし、前記パワーアンプの温度を計測し、前記温度が設定温度を超えた場合、前記発熱防止信号を前記スイッチ部に出力する監視部と
を具備するパワーアンプ保護回路。
【発明の詳細な説明】
【技術分野】
【０００１】
本発明は、送信電力により送信情報を送信する携帯端末に関する。
【背景技術】
【０００２】
近年では、携帯端末が多くの用途に利用され、その需要が著しい。このような携帯端末は、送信部であるパワーアンプにより、ＣＤＭＡ（Ｃｏｄｅ  Ｄｉｖｉｓｉｏｎ  Ｍｕｌｔｉｐｌｅ  Ａｃｃｅｓｓ）のように定常的に情報を送信する方式や、ＴＤＭＡ（Ｔｉｍｅ  Ｄｉｖｉｓｉｏｎ  Ｍｕｌｔｉｐｌｅ  Ａｃｃｅｓｓ）のように間欠的に情報を送信する方式が主流となってきている。前者の方式では、定常的に情報を送信するために常に送信電力を消費し、後者の方式では、間欠動作ではあるが大きな送信電力が必要である。そこで、近年では、パワーアンプの消費電力が大きいため、その発熱に対して高い安全性が求められてきている。
【０００３】
図１に示されるように、携帯端末は、携帯端末本体（図示しない）と、電池２と、コンピュータ（図示しない）と、パワーアンプ４とを具備している。電池２は、携帯端末本体に取り付けられ、電源電圧を供給する。コンピュータとパワーアンプ４は、携帯端末本体に設けられている。コンピュータは、電池２を電源とし、出力情報を出力する。パワーアンプ４は、電池２を電源とし、コンピュータからの出力情報を送信電力により送信情報として無線通信回線網に送信する。しかし、このままでは、パワーアンプ４の発熱を防止することはできない。
【０００４】
そこで、図２に示されるように、電池２とパワーアンプ４との間にヒューズ１０１を接続する。この場合、パワーアンプ４に定常的に過電流が発生したときのみ、ヒューズ１０１が切断されることによりパワーアンプ４を保護するが、パワーアンプ４の発熱に対する対策としては不十分である。
【０００５】
また、図３に示されるように、電池２とパワーアンプ４との間にレギュレータ１０２を接続する。この場合でも、過電流に対する保護のみで、パワーアンプ４の発熱に対する対策としては不十分である。
【０００６】
このように、パワーアンプ４が発熱することにより、パワーアンプ４の温度が異常温度になってしまう可能性がある。このときに、パワーアンプ４が、コンピュータからの出力情報を送信電力により送信情報として無線通信回線網に送信している場合、異常温度が原因により、その送信情報の品質が低下してしまう恐れがある。
【０００７】
パワーアンプ４の発熱を防止することができ、それにより、送信情報（出力情報）の品質を保証することが望まれる。
【０００８】
電力を制御する技術について紹介する。
【０００９】
特開２００１−２９８４０２号公報（特許文献１）には“携帯端末装置”が記載されている。この携帯端末装置は、内部回路に電力を供給する駆動用電源を有する携帯端末装置であって、装置本体内に内蔵された発熱体と、この発熱体に前記駆動用電源から電力供給を行う電力供給手段と、この電力供給手段をオン、オフ制御して前記発熱体への電力供給を制御する制御手段とを備えたことを特徴としている。
【００１０】
特開平３−５８５０７号公報（特許文献２）には“高周波電力増幅器保護回路”が記載されている。この高周波電力増幅器保護回路は、送信入力を増幅して送信出力を送出する高周波電力増幅器（１１）と、前記高周波電力増幅器（１１）の温度を監視して得られた検出温度データを送出する温度センサ（１２）と、を具備した送信部（１）と、設定温度データを出力する温度設定回路（２１）と、前記設定温度データと前記検出温度データとの比較を行い、該検出温度データが前記設定温度データを越えた結果を出力する比較器（２２）と、前記比較した結果が出力されたとき高周波電力増幅器（１１）に対し送信電力を低減させる制御信号を送出するロジック出力部（２３）と、を具備したロジック制御部（２）と、を設けたことを特徴としている。
【００１１】
実開平１−１４２２３１号公報（特許文献３）には“送信電力増幅器保護回路付無線機”が記載されている。この送信電力増幅器保護回路付無線機は、マイクロコンピュータ、該マイクロコンピュータの出力信号により制御される受信部、送信部、及び該送信部の信号を増幅し出力する送信電力増幅器から構成されるものであって、送信電力増幅器内に温度検出回路を設け、送信電力増幅器が一定温度以上になったとき前記温度検出回路の出力情報をマイクロコンピュータに送り、該マイクロコンピュータの出力信号で送信軌道を停止させることを特徴としている。
【００１２】
特開平１０−１９０４８７号公報（特許文献４）には“移動無線機”が記載されている。この移動無線機は、送信信号を出力する送信部と、受信信号を入力する受信部とを有して、所定の地域内において信号を送受信する移動無線機において、前記送信部の温度を検出する温度監視部と、前記温度監視部が検出した温度が基準温度以上になった場合に、前記送信部へ送るデータの移動を停止させる送出データ制御手段とを有することを特徴としている。
【００１３】
特開平１１−２９８３４１号公報（特許文献５）には“携帯電話機の過熱防止装置”が記載されている。この携帯電話機（２０１）の過熱防止装置は、マイクロコンピュータ制御の携帯電話機において、送信データを入力する送信データ入力手段（２０３）と、前記入力されたデータ量及び温度の情報から計算、比較処理を行う情報処理手段（２０４）と、装置の温度を検出する温度検出手段（２０５）とを有することを特徴としている。
【００１４】
【特許文献１】特開２００１−２９８４０２号公報
【特許文献２】特開平３−５８５０７号公報
【特許文献３】実開平１−１４２２３１号公報
【特許文献４】特開平１０−１９０４８７号公報
【特許文献５】特開平１１−２９８３４１号公報
【発明の開示】
【発明が解決しようとする課題】
【００１５】
本発明の課題は、パワーアンプの発熱を防止することができ、それにより、送信情報（出力情報）の品質を保証することができる携帯端末を提供することにある。
【課題を解決するための手段】
【００１６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１７】
本発明の携帯端末は、
携帯端末本体（１）と、
前記携帯端末本体（１）に取り付けられた電池（２）と、
前記携帯端末本体（１）に設けられ、前記電池（２）を電源とし、出力情報（Ｄｏｕｔ）を出力し、発熱防止信号（Ｓ１’）に応じて、前記パワーアンプ（４）への前記出力情報（Ｄｏｕｔ）の出力を中止するコンピュータ（３）と、
前記携帯端末本体（１）に設けられ、前記電池（２）を電源とし、前記出力情報（Ｄｏｕｔ）を送信電力により無線通信回線網に送信するパワーアンプ（４）と、
前記携帯端末本体（１）に設けられ、前記パワーアンプ（４）の発熱を防止するためのパワーアンプ保護回路（１０）と
を具備し、
前記パワーアンプ保護回路（１０）は、
前記電池（２）と前記パワーアンプ（４）とを接続し、前記発熱防止信号（Ｓ１）に応じて、前記電池（２）と前記パワーアンプ（４）との接続を解除するスイッチ部（２０）と、
前記電池（２）を電源とし、前記パワーアンプ（４）の温度（Ｔ）を計測し、前記温度（Ｔ）が設定温度（Ｔ’）を超えた場合、前記発熱防止信号（Ｓ１）（Ｓ１’）を前記スイッチ部（２０）と前記コンピュータ（３）とに出力する監視部（３０）と
を具備する。
【００１８】
本発明の携帯端末において、
前記パワーアンプ保護回路（１０）は、
前記電池（２）と前記監視部（３０）との間に設けられ、監視動作制御信号（Ｓ３）に応じて、前記電池（２）と前記監視部（３０）とを接続し、消費電力削減信号（Ｓ４）に応じて、接地される電源制御部（４０）
を更に具備し、
前記コンピュータ（３）は、
前記監視動作制御信号（Ｓ３）を前記電源制御部（４０）に出力し、
前記パワーアンプ（４）への前記出力情報（Ｄｏｕｔ）の出力を中止したとき、前記監視動作制御信号（Ｓ３）に代えて前記消費電力削減信号（Ｓ４）を前記電源制御部（４０）に出力する。
【００１９】
本発明の携帯端末において、
前記監視部（３０）は、
前記パワーアンプ（４）又はその近傍に設けられ、前記パワーアンプ（４）の温度（Ｔ）を計測する温度センサ（３１）と、
前記温度（Ｔ）と前記設定温度（Ｔ’）とを比較し、前記温度（Ｔ）が前記設定温度（Ｔ’）を超えている否かを表す比較結果（Ｓ０）を生成する比較部（３２）と、
前記温度（Ｔ）が前記設定温度（Ｔ’）を超えていることを前記比較結果（Ｓ０）が表している場合、前記発熱防止信号（Ｓ１）を出力する監視制御部（３３）と
を具備する。
【００２０】
本発明の携帯端末において、
前記スイッチ部（２０）は、
前記電池（２）と前記パワーアンプ（４）とを接続し、スイッチ制御信号（Ｓ２）に応じて、前記電池（２）と前記パワーアンプ（４）との接続を解除する第１スイッチ（２１）と、
前記発熱防止信号（Ｓ１）に応じて、前記スイッチ制御信号（Ｓ２）を前記第１スイッチ（２１）に出力する第２スイッチ（２２）と
を具備する。
【００２１】
本発明の携帯端末において、
前記第１スイッチ（２１）は、前記電池（２）と前記パワーアンプ（４）の間に接続された第１トランジスタを表し、
前記第２スイッチ（２２）は、前記第１トランジスタ（２１）のゲートと接地との間に接続され、そのゲートに前記監視部（３０）の出力が接続された第２トランジスタを表し、
前記スイッチ部（２０）は、
その一端が前記電池（２）に接続され、その他端が前記第１トランジスタ（２１）のゲートに接続された高抵抗素子（２３）
を更に具備し、
前記第２トランジスタ（２２）は、前記発熱防止信号（Ｓ１）に応じてオンし、前記スイッチ制御信号（Ｓ２）を前記第１トランジスタ（２１）のゲートに出力し、
前記第１トランジスタ（２１）は、前記スイッチ制御信号（Ｓ２）に応じてオフし、前記電池（２）と前記パワーアンプ（４）との接続を解除する。
【００２２】
本発明の携帯端末において、
前記第１トランジスタ（２１）は、Ｐ型であり、
前記第２トランジスタ（２２）は、Ｎ型である。
【発明の効果】
【００２３】
以上により、本発明の携帯端末によれば、パワーアンプ（４）の発熱を防止することができ、それにより、送信情報（出力情報）の品質を保証することができる。
【００２４】
その理由として、第１に、パワーアンプ保護回路（１０）では、監視部（３０）が、パワーアンプ（４）の温度（Ｔ）を計測し、温度（Ｔ）が設定温度（Ｔ’）を超えた場合、発熱防止信号（Ｓ１）（Ｓ１’）をスイッチ部（２０）とコンピュータ（３）とに出力し、スイッチ部（２０）が発熱防止信号（Ｓ１）に応じて電池（２）とパワーアンプ（４）との接続を解除する。このため、パワーアンプ（４）の温度（Ｔ）が設定温度（Ｔ’）を超えたときに、電池（２）からパワーアンプ（１）への電源供給を停止することができ、パワーアンプ（４）の発熱を防止することができる。
【００２５】
第２に、コンピュータ（３）は、発熱防止信号（Ｓ１’）に応じて、パワーアンプ（４）への出力情報（Ｄｏｕｔ）の出力を中止する。このため、パワーアンプ（４）の発熱により、出力情報（Ｄｏｕｔ）の品質が低下することはない。
【００２６】
更に、本発明の携帯端末によれば、上記の効果に加えて、パワーアンプ（４）の発熱を防止するときに要する消費電力を低減することができる。
【００２７】
その理由として、パワーアンプ保護回路（１０）の電源制御部（４０）は、コンピュータ（３）が監視動作制御信号（Ｓ３）を出力している場合、電池（２）と監視部（３０）とを接続し、コンピュータ（３）がパワーアンプ（４）への出力を中止したことを表す消費電力削減信号（Ｓ４）を出力している場合、接地される。このため、電池（２）からパワーアンプ（１）への電源供給を停止するときに、電池（２）から監視部（３０）への電源供給を停止することができ、監視部（３０）を動作させるときの消費電力を低減することができる。
【発明を実施するための最良の形態】
【００２８】
以下に添付図面を参照して、本発明の携帯端末について詳細に説明する。
【００２９】
［構成］
図４は、本発明の携帯端末の構成を示している。本発明の携帯端末は、携帯端末本体１と、電池２と、コンピュータ３と、パワーアンプ４と、パワーアンプ保護回路１０とを具備している。
【００３０】
電池２は、携帯端末本体１に取り付けられ、電源電圧を供給する。
【００３１】
コンピュータ３は、携帯端末本体１に設けられている。コンピュータ３は、電池２を電源とし、出力情報Ｄｏｕｔを出力する。
【００３２】
パワーアンプ４は、携帯端末本体１に設けられている。パワーアンプ４は、電池２を電源とし、コンピュータ３からの出力情報Ｄｏｕｔを送信電力により送信情報Ｄｏｕｔ’として無線通信回線網に送信する。
【００３３】
パワーアンプ保護回路１０は、パワーアンプ４の発熱を防止する。このパワーアンプ保護回路１０は、スイッチ部２０と、監視部３０と、電源制御部４０とを具備している。
【００３４】
監視部３０は、温度センサ３１と、比較部３２と、監視制御部３３とを具備している。温度センサ３１と比較部３２と監視制御部３３は、電池２を電源としている。
【００３５】
温度センサ３１は、パワーアンプ４又はその近傍に設けられている。温度センサ３１は、パワーアンプ４の温度Ｔを計測する。
【００３６】
比較部３２は、その入力が温度センサ３１の出力に接続されている。比較部３２は、温度Ｔと設定温度Ｔ’とを比較し、温度Ｔが設定温度Ｔ’を超えている否かを表す比較結果Ｓ０を生成する。
【００３７】
監視制御部３３は、その入力が比較部３２の出力に接続され、その出力がＦＥＴ２２のゲートとコンピュータ３とに接続されている。監視制御部３３は、比較結果Ｓ０に応じて、発熱防止信号Ｓ１、Ｓ１’をそれぞれＦＥＴ２２のゲート、コンピュータ３に出力する。比較結果Ｓ０として、温度Ｔが設定温度Ｔ’を超えている場合、監視制御部３３は、発熱防止信号Ｓ１、Ｓ１’の信号レベルをアクティブ状態“Ｈｉレベル”にする。
【００３８】
スイッチ部２０は、第１スイッチ２１と、第２スイッチ２２と、高抵抗素子２３とを具備している。第１スイッチ２１、第２スイッチ２２としては、それぞれ、Ｐチャネル型、Ｎチャネル型のＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）が使用される。以下、第１スイッチ２１、第２スイッチ２２をそれぞれＦＥＴ２１、ＦＥＴ２２と称する。
【００３９】
ＦＥＴ２１は、電池２とパワーアンプ４の間に接続されている。ＦＥＴ２１は、オフしているとき、電池２とパワーアンプ４とを接続し、スイッチ制御信号Ｓ２“Ｈｉレベル”に応じてオフし、電池２とパワーアンプ４との接続を解除する。
【００４０】
高抵抗素子２３は、その一端が電池２に接続され、その他端がＦＥＴ２１のゲートに接続されている。
【００４１】
ＦＥＴ２２は、ＦＥＴ２１のゲートと接地との間に接続され、スイッチ制御信号Ｓ２を第１トランジスタ２１のゲートに出力する。ＦＥＴ２２は、監視制御部３３からの発熱防止信号Ｓ１“Ｈｉレベル”に応じてオンし、高抵抗素子２３によってハイインピーダンスとなることにより、スイッチ制御信号Ｓ２の信号レベルをインアクティブ状態“Ｈｉレベル”にする。
【００４２】
電源制御部４０は、電池２と監視部３０との間に設けられている。
【００４３】
電源制御部４０は、コンピュータ３からの監視動作制御信号Ｓ３に応じて、電池２と監視部３０とを接続し、コンピュータ３からの消費電力削減信号Ｓ４に応じて、接地される。電源制御部４０が接地されることにより、ＦＥＴ２２がハイインピーダンスとなるため、スイッチ制御信号Ｓ２の信号レベル“Ｈｉレベル”を保持する。
【００４４】
コンピュータ３は、コンピュータプログラムを格納する格納部と、そのコンピュータプログラムを実行する実行部とを具備している。
【００４５】
コンピュータ３の実行部は、監視動作制御信号Ｓ３を電源制御部４０に出力している。この場合、コンピュータ３の実行部は、出力情報Ｄｏｕｔを出力する。
コンピュータ３の実行部は、監視制御部３３からの発熱防止信号Ｓ１’“Ｈｉレベル”に応じて、パワーアンプ４への出力情報Ｄｏｕｔの出力を中止する。この場合、コンピュータ３の実行部は、監視動作制御信号Ｓ３に代えて消費電力削減信号Ｓ４を電源制御部４０に出力する。
【００４６】
［動作］
次に、本発明の携帯端末の動作として、パワーアンプ４の発熱を防止するときの動作について、図４を用いて説明する。
【００４７】
コンピュータ３の実行部は、監視動作制御信号Ｓ３を電源制御部４０に出力している。また、スイッチ部２０のＦＥＴ２１はオフしているため、電池２とパワーアンプ４とが接続されている。この場合、コンピュータ３の実行部は、出力情報Ｄｏｕｔを出力し、パワーアンプ４は、電池２を電源とし、コンピュータ３からの出力情報Ｄｏｕｔを送信電力により送信情報Ｄｏｕｔ’として無線通信回線網に送信する。
【００４８】
また、電源制御部４０は、コンピュータ３からの監視動作制御信号Ｓ３に応じて、電池２と監視部３０とを接続している。このとき、監視部３０は、電池２を電源とし、温度センサ３１は、パワーアンプ４の温度Ｔを計測する。比較部３２は、温度Ｔと設定温度Ｔ’とを比較し、温度Ｔが設定温度Ｔ’を超えている否かを表す比較結果Ｓ０を生成する。
【００４９】
比較結果Ｓ０は、温度Ｔが設定温度Ｔ’を超えていることを表しているものとする。この場合、監視制御部３３は、発熱防止信号Ｓ１、Ｓ１’の信号レベルをアクティブ状態にする。
【００５０】
コンピュータ３は、監視制御部３３からの発熱防止信号Ｓ１’に応じて、パワーアンプ４への出力情報Ｄｏｕｔの出力を中止する。
【００５１】
スイッチ部２０のＦＥＴ２２は、監視制御部３３からの発熱防止信号Ｓ１“Ｈｉレベル”に応じてオンする。このとき、ＦＥＴ２２が高抵抗素子２３によってハイインピーダンスとなることにより、スイッチ制御信号Ｓ２の信号レベルがインアクティブ状態“Ｈｉレベル”となる。ＦＥＴ２１は、スイッチ制御信号Ｓ２“Ｈｉレベル”に応じてオフし、電池２とパワーアンプ４との接続を解除する。これにより、電池２からパワーアンプ１に電源電圧が供給されなくなり、パワーアンプ４の発熱による異常温度を解消することとなる。
【００５２】
コンピュータ３の実行部は、パワーアンプ４への出力情報Ｄｏｕｔの出力を中止したとき、監視動作制御信号Ｓ３に代えて消費電力削減信号Ｓ４を電源制御部４０に出力する。電源制御部４０は、コンピュータ３からの消費電力削減信号Ｓ４に応じて、接地される。電源制御部４０が接地されることにより、ＦＥＴ２２がハイインピーダンスとなるため、スイッチ制御信号Ｓ２の信号レベル“Ｈｉレベル”を保持する。また、電源制御部４０が接地されることにより、ＦＥＴ２２がハイインピーダンスとなるため、電池２から監視部３０に電源電圧が供給されなくなり、監視部３０を動作させるときの消費電力を低減することができる。
【００５３】
［効果］
以上の説明により、本発明の携帯端末によれば、パワーアンプ４の発熱を防止することができ、それにより、送信情報（出力情報）の品質を保証することができる。
【００５４】
その理由として、第１に、パワーアンプ保護回路１０では、監視部３０が、パワーアンプ４の温度Ｔを計測し、温度Ｔが設定温度Ｔ’を超えた場合、発熱防止信号Ｓ１をスイッチ部２０とコンピュータ３とに出力し、スイッチ部２０が発熱防止信号Ｓ１に応じて電池２とパワーアンプ４との接続を解除する。このため、パワーアンプ４の温度Ｔが設定温度Ｔ’を超えたときに、電池２からパワーアンプ１への電源供給を停止することができ、パワーアンプ４の発熱を防止することができる。
【００５５】
第２に、コンピュータ３は、発熱防止信号Ｓ１’に応じて、パワーアンプ４への出力情報Ｄｏｕｔの出力を中止する。このため、パワーアンプ４の発熱により、送信情報Ｄｏｕｔ’（出力情報Ｄｏｕｔ）の品質が低下することはない。
【００５６】
更に、本発明の携帯端末によれば、上記の効果に加えて、パワーアンプ４の発熱を防止するときに要する消費電力を低減することができる。
【００５７】
その理由として、パワーアンプ保護回路１０の電源制御部４０は、コンピュータ３が監視動作制御信号Ｓ３を出力している場合、電池２と監視部３０とを接続し、コンピュータ３がパワーアンプ４への出力を中止したことを表す消費電力削減信号Ｓ４を出力している場合、接地される。このため、電池２からパワーアンプ１への電源供給を停止するときに、電池２から監視部３０への電源供給を停止することができ、監視部３０を動作させるときの消費電力を低減することができる。
【００５８】
なお、本発明では、第１スイッチ２１、第２スイッチ２２をそれぞれＰチャネル型、Ｎチャネル型のＭＯＳＦＥＴとしているが、類似した動作を行う半導体素子および機械素子でも同じ効果となる。
【産業上の利用可能性】
【００５９】
携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔｓ：個人向け携帯型情報通信機器）等の送受信が可能な携帯端末。
【図面の簡単な説明】
【００６０】
【図１】図１は、従来の携帯端末を説明するための図である。
【図２】図２は、従来の携帯端末を説明するための図である。
【図３】図３は、従来の携帯端末を説明するための図である。
【図４】図４は、本発明の携帯端末の構成を示している。
【符号の説明】
【００６１】
１    携帯端末本体、
２    電池、
３    コンピュータ、
４    パワーアンプ、
１０    パワーアンプ保護回路、
２０    スイッチ部、
２１    ＦＥＴ（第１スイッチ）、
２２    ＦＥＴ（第２スイッチ）、
２３    高抵抗素子、
３０    監視部、
３１    温度センサ、
３２    比較器、
３３    監視制御部、
４０    電源制御部、
Ｄｏｕｔ    出力情報、
Ｄｏｕｔ’    送信情報、
Ｓ０    比較結果、
Ｓ１、Ｓ１’    発熱防止信号、
Ｓ２    スイッチ制御信号、
Ｓ３    監視動作制御信号、
Ｓ４    消費電力削減信号、
Ｔ    温度、
Ｔ’    設定温度、
【図１】
2008253067.tif 000003
【図２】
2008253067.tif 000004
【図３】
2008253067.tif 000005
【図４】
2008253067.tif 000006